(57)【特許請求の範囲】
【請求項１】
光スーパーチャネルを介してデータを送信機から受信機に送信するための方法であって、
前記データを前記光スーパーチャネルの１組のサブチャネルを介して送信するための１組のデータストリームに不均等に分割することであって、第１のサブチャネルを介して送信するための第１のデータストリームのビットレートが、第２のサブチャネルを介して送信するための前記データの第２のデータストリームのビットレートとは異なるようにすることと、
前記データの各データストリームを異なる誤り訂正符号（ＥＣＣ）レートを有するＥＣＣを用いて符号化することであって、１組の符号化されたデータストリームを生成し、前記第１のデータストリームを符号化して第１の符号化されたデータストリームを生成するための第１のＥＣＣレートが、前記第２のデータストリームを符号化して第２の符号化されたデータストリームを生成するための第２のＥＣＣレートとは異なるようにし、ここで、前記第１の符号化されたデータストリームのビットレートが前記第２の符号化されたデータストリームのビットレートと等しいか、前記第１の符号化されたデータストリームの帯域幅が前記第２の符号化されたデータストリームの帯域幅と等しいか、または、ビットレートと帯域幅の両方が等しい、
前記光スーパーチャネルの前記１組のサブチャネルを介して前記１組の符号化されたデータストリームを同時に送信することと
を含み、
前記第１のＥＣＣレートおよび前記第２のＥＣＣレートは、前記サブチャネルを介した送信のビット誤り率（ＢＥＲ）の値が高いほど、高い値に設定される
方法。
【請求項２】
前記符号化することは、
前記光スーパーチャネルの前記サブチャネルを介した前記ＢＥＲの値がしきい値未満になるように、前記ＥＣＣレートを決定することを含む
請求項１に記載の方法。
【請求項３】
前記符号化されたデータストリームを異なるサブチャネルを介して送信するための前記ＢＥＲの前記値が実質的に等しいように、サブチャネルごとの前記ＥＣＣレートを決定することをさらに含む、請求項２に記載の方法。
【請求項４】
前記光スーパーチャネルの初期化中に前記サブチャネルの前記ＢＥＲの初期値を求めることと、
前記ＢＥＲの前記初期値に従って前記データストリームのビットレートと、対応するＥＣＣレートとを求めることと
をさらに含む、請求項２に記載の方法。
【請求項５】
前記分割することは、
前記１組のサブチャネルを介して等しいビットレートのデータストリームを送信するための前記ＢＥＲの値の分布を求めることと、
前記分布に従って前記１組のサブチャネルを介して送信するための前記データストリームのビットレートを決定することと
を含む、請求項１に記載の方法。
【請求項６】
前記分布に比例して前記１組のサブチャネルを介して送信するための前記データストリームの前記ビットレートを決定することであって、前記第１のサブチャネルのための前記ＢＥＲの第１の値と前記第２のサブチャネルのための前記ＢＥＲの第２の値との間のＢＥＲ比が前記第１のデータストリームの前記ビットレートと前記第２のデータストリームの前記ビットレートとの間のデータ比に等しいようにすることをさらに含む、請求項５に記載の方法。
【請求項７】
前記１組の符号化されたデータストリームを受信することと、
異なるデータレートを有する復号されたデータストリームを生成するために、各符号化されたデータストリームを異なる復号器を用いて復号することと、
前記復号されたデータストリームを合成して前記データを再生することと、
をさらに含む、請求項１に記載の方法。
【請求項８】
異なる波長の１組のサブチャネルによって形成される光スーパーチャネルを介してデータを受信機に送信するための送信機であって、
前記データを前記光スーパーチャネルの前記１組のサブチャネルを介して送信するための１組のデータストリームに不均等に分割するデータデマルチプレクサーであって、第１のサブチャネルを介して送信するための第１のデータストリームのビットレートが第２のサブチャネルを介して送信するための前記データの第２のデータストリームのビットレートとは異なるようにする、データデマルチプレクサーと、
前記データの各データストリームを異なる誤り訂正符号（ＥＣＣ）レートを有するＥＣＣを用いて符号化し、１組の符号化されたデータストリームを生成するための１組の前方誤り訂正（ＦＥＣ）符号化器であって、前記第１のデータストリームを符号化して第１の符号化されたデータストリームを生成するための第１のＥＣＣレートが前記第２のデータストリームを符号化して第２の符号化されたデータストリームを生成するための第２のＥＣＣレートとは異なるようにし、ここで、符号化した後には、前記第１の符号化されたデータストリームのビットレートが前記第２の符号化されたデータストリームのビットレートと等しくなる、１組の前方誤り訂正（ＦＥＣ）符号化器と、
前記１組の符号化されたデータストリームを光領域において変調するための１組の送信機光学系と、
前記光スーパーチャネルの前記１組のサブチャネルを介してコヒーレントに送信するために前記１組の符号化されたデータストリームを前記光領域において多重化するためのマルチプレクサーと
を備え、
前記第１のＥＣＣレートおよび前記第２のＥＣＣレートは、前記サブチャネルを介した送信のビット誤り率（ＢＥＲ）の値が高いほど、高い値に設定される
送信機。
【請求項９】
異なる波長の１組のサブチャネルによって形成される光スーパーチャネルを介してデータを送信するためのシステムであって、
前記データを、異なるコード化されていないデータレートを有し、ただし、等しい符号化されたデータレートおよび／または等しい前記サブチャネルの帯域を有する１組のデータストリームに分割および符号化し、前記１組のデータストリームを前記１組のサブチャネルを介して送信するための送信機と、
前記１組のデータストリームを復号および合成して前記データを再生するための受信機と
を備え、
前記送信機は、
前記データを前記１組のデータストリームに不均等に分割するためのデータデマルチプレクサーであって、第１のサブチャネルを介して送信するための第１のデータストリームのビットレートが第２のサブチャネルを介して送信するための前記データの第２のデータストリームのビットレートとは異なるようにする、データデマルチプレクサーと、
１組のサブチャネル送信機であって、各サブチャネル送信機は、前記データの各データストリームを異なる誤り訂正符号（ＥＣＣ）レートを有するＥＣＣを用いて符号化し、１組の符号化されたデータストリームを生成するための前方誤り訂正（ＦＥＣ）符号化器であって、前記第１のデータストリームを符号化して第１の符号化されたデータストリームを生成するための第１のＥＣＣレートが、前記第２のデータストリームを符号化して第２の符号化されたデータストリームを生成するための第２のＥＣＣレートとは異なるようにし、ここで、前記第１の符号化されたデータストリームのビットレートが前記第２の符号化されたデータストリームのビットレートと等しいか、前記第１の符号化されたデータストリームの帯域幅が前記第２の符号化されたデータストリームの帯域幅と等しいか、または、ビットレートと帯域幅の両方が等しい、前方誤り訂正（ＦＥＣ）符号化器を含む、１組のサブチャネル送信機と、
前記光スーパーチャネルの前記１組のサブチャネルを介してコヒーレントに送信するために前記１組の符号化されたデータストリームを多重化するための波長マルチプレクサーと
を備え、
前記第１のＥＣＣレートおよび前記第２のＥＣＣレートは、前記サブチャネルを介した送信のビット誤り率（ＢＥＲ）の値が高いほど、高い値に設定される
システム。
【請求項１０】
前記受信機は、
前記１組の符号化されたデータストリームを受信するためのデマルチプレクサーと、
異なるデータレートを有する復号されたデータストリームを生成するために各符号化されたデータストリームを復号するための１組の復号器と、
前記復号されたデータストリームを合成して前記データを求めるためのデータマルチプレクサーと
を備える、請求項９に記載のシステム。
【請求項１１】
前記受信機は、
前記光スーパーチャネルの初期化中にサブチャネルごとの前記ＢＥＲの値を求めるためのＢＥＲ測定モジュールと、
前記サブチャネルのための前記ＥＣＣレートを決定し、前記ＥＣＣレートを、フィードバックチャネルを介して前記送信機に送信するためのサブチャネルレートコントローラーと
をさらに備える、請求項１０に記載のシステム。
【発明の詳細な説明】
【技術分野】
【０００１】
本発明は、包括的にはコヒーレント光通信システムに関し、より詳細には光スーパーチャネルを介してデータを送信することに関する。
【背景技術】
【０００２】
コヒーレント光通信によれば、ロングホール（通常、２０００ｋｍ超）光伝送ネットワークを介して、より高速のデータレートでデータを送信できるようになる。コヒーレント検出器では、受信された位相変調光信号が、デジタルシグナルプロセッサ（ＤＳＰ）用にデジタル化される必要がある。受信信号をデジタル化するには、高速のアナログ／デジタル変換器（ＡＤＣ）が必要とされる。しかしながら、１００Ｇビット／秒より高いデータレートにおける単一波長コヒーレント検出の場合、シリアルＡＤＣのサンプリングレートを上げるのは、困難である。
【０００３】
スーパーチャネルは、高密度波長分割多重（ＤＷＤＭ）を発展させたものであり、複数のコヒーレント光搬送波が、より高速のデータレートで単一のスーパーチャネル上に合成され、単一の動作サイクルにおいて使用される。スーパーチャネルは、例えば、１００Ｇビット／秒の単一波長チャネルというより、各波長がＡＤＣコンポーネントによって許される最大データレートにおいて、サブチャネルとして動作する多波長信号である。
【０００４】
スーパーチャネルと従来の波長分割多重（ＷＤＭ）との顕著な１つの違いは、異なるサブチャネルの周波数間の間隔のサイズである。スーパーチャネルは、サブチャネルの波長間の間隔のサイズを小さくすることができるが、送信されるデータは、均一に扱われ、すなわち、各スーパーチャネルは、データの追加、ドロップおよびルーティングの観点から、単一の広いチャネルのように扱われる。種々の技法を用いて、サブチャネル間隔をＭＨｚレンジまで下げることができる。これらの技法は、直交帯域多重（ＯＢＭ：orthogonal-band-multiplexed）、直交周波数分割多重（ＯＦＤＭ：orthogonal frequency division multiplexing）、ガードインターバルなし（ＮＧＩ：no guard interval）−ＯＦＤＭ、ナイキストＷＤＭ、およびマルチチャネル等化（ＭＣＥ：multi-channel equalization）−ＷＤＭを含む。
【０００５】
しかしながら、異なるサブチャネルの周波数間の間隔のサイズが小さいことによって、サブチャネル内の雑音が非線形になり、すなわち、各サブチャネルが非線形性に起因する異なる位相雑音を受信し、それにより、サブチャネルにわたるビット誤り率（ＢＥＲ）が不均一になる。この問題に対する１つの解決法は、より高い雑音を受けているサブチャネルにわたって送信電力を高くすることである。しかしながら、１つのチャネルに対する送信電力を高めることは、他のチャネルにおける非線形性に起因する歪みも変化させる。それゆえ、ＢＥＲ要件を満たすように、同じファイバ内の全てのサブチャネルの電力レベルを調整するのは難しい。
【０００６】
したがって、全てのサブチャネルにわたる送信がＢＥＲ要件を満たすように、単一のファイバ内の１組のサブチャネルによって形成される光スーパーチャネルを介してデータを送信するためのシステムおよび方法が必要とされている。
【発明の概要】
【０００７】
通常、スーパーチャネルを介して送信されるデータは、スーパーチャネルの全てのサブチャネルの間に均等に分割、すなわち、分配される。例えば、４つのサブチャネルを有するスーパーチャネルを介して４００ギガビット／秒（Ｇｂ／ｓ）においてデータを送信するために、データは、１００Ｇｂ／ｓの４つの等しい部分に分割され、各部分が１つのサブチャネル上で送信される。
【０００８】
本発明のいくつかの実施の形態は、スーパーチャネルを介して送信されるデータを、サブチャネルを介して送信するための１組のデータストリームに不均等に分割できるという認識に基づく。通常、スーパーチャネル全体を介して送信されるデータのビットレートおよびサイズは、固定される。しかしながら、実施の形態によれば、コード化されたビットレートのみがサブチャネルにわたって固定され、全てのサブチャネルを介して送信されるデータの和がスーパーチャネルを介して送信される固定データに等しい限り、コード化されていないデータストリームのサイズは、異なるサブチャネルにわたって変化することができる。
【０００９】
種々の実施の形態がこの認識を用いて、誤り訂正符号（ＥＣＣ）のレートを異なるサブチャネル間で適応的に変更し、非線形雑音を補償する。例えば、いくつかの実施の形態において、高い雑音を有するサブチャネルほど、雑音が低い別のサブチャネルより、少ないデータを送信し、多くのＥＣＣを送信する。そのようにして、スーパーチャネル送信の受信機は、より雑音が高いサブチャネルを介して送信された、より冗長なデータを受信し、ＥＣＣ手順において、この冗長性を利用することができる。
【００１０】
さらに、または代わりに、いくつかの実施の形態は、電力スペクトルの雑音および歪みが平坦でない光チャネルにわたる性能を改善するために、スーパーチャネルをいくつかの隣接しない波長を介してポイントツーポイントリンクにおいて送信できるようにする。
【００１１】
種々の実施の形態において、全てのサブチャネルを介した送信がＢＥＲ要件を満たすように、ＦＥＣレートがサブチャネル間で変更される。いくつかの実施の形態において、各サブチャネルを介して送信される全データ量は、固定され、送信されることになるデータ＋ＦＥＣの冗長データを含む。代替の実施の形態では、各サブチャネルを介して送信されるデータ量は、異なる。
【００１２】
したがって、１つの実施の形態は、光スーパーチャネルを介してデータを送信機から受信機に送信するための方法を開示する。その方法は、データをスーパーチャネルの１組のサブチャネルを介して送信するための１組のデータストリームに不均等に分割することであって、第１のサブチャネルを介して送信するための第１のデータストリームのサイズが第２のサブチャネルを介して送信するためのデータの第２のデータストリームのサイズと異なるようにすることと、データの各データストリームを異なる誤り訂正符号（ＥＣＣ）レートを有するＥＣＣを用いて符号化することであって、１組の符号化されたデータストリームを生成し、第１のデータストリームを符号化するための第１のＥＣＣレートが第２のデータストリームを符号化するための第２のＥＣＣレートとは異なるようにすることと、スーパーチャネルの１組のサブチャネルを介して１組の符号化されたデータストリームを同時に送信することとを含む。
【００１３】
別の実施の形態は、異なる波長の１組のサブチャネルによって形成される光スーパーチャネルを介してデータを受信機に送信するための送信機を開示し、その送信機は、データをスーパーチャネルの１組のサブチャネルを介して送信するための１組のデータストリームに不均等に分割するためのデータデマルチプレクサーであって、第１のサブチャネルを介して送信するための第１のデータストリームのサイズが第２のサブチャネルを介して送信するためのデータの第２のデータストリームのサイズとは異なるようにする、データデマルチプレクサーと、データの各データストリームを異なる誤り訂正符号（ＥＣＣ）レートを有するＥＣＣを用いて符号化し、１組の符号化されたデータストリームを生成するための１組の前方誤り訂正符号（ＦＥＣ）符号化器であって、第１のデータストリームを符号化するためのＥＣＣレートが第２のデータストリームを符号化するための第２のＥＣＣレートとは異なるようにする、１組の前方誤り訂正符号（ＦＥＣ）符号化器と、スーパーチャネルの１組のサブチャネルを介してコヒーレントに送信するために１組の符号化されたデータストリームを多重化するためのマルチプレクサーと、を備える。
【００１４】
さらに、別の実施の形態は、異なる波長の１組のサブチャネルによって形成される光スーパーチャネルを介してデータを送信するためのシステムを開示し、そのシステムは、データを異なるコード化されていないデータレートを有する１組のデータストリームに分割および符号化し、１組のデータストリームを１組のサブチャネルを介して送信するための送信機と、１組のデータストリームを復号および合成してデータを再生するための受信機とを備える。
【図面の簡単な説明】
【００１５】
【図１Ａ】本発明のいくつかの実施の形態による、光スーパーチャネルを介してデータを受信機に送信するためのスーパーチャネル送信機のブロック図である。
【図１Ｂ】図１Ａのスーパーチャネル送信機によって実施することができるデータを送信するための方法のフローチャートである。
【図２】本発明のいくつかの実施の形態による、スーパーチャネル受信機のブロック図である。
【図３】本発明のいくつかの実施の形態による、異なるデータストリームを符号化するためのＥＣＣレートを決定するためのブロック図である。
【図４】本発明のいくつかの実施の形態による、ＢＥＲの値の非線形分布の概略図である。
【図５】本発明のいくつかの実施の形態による、異なる波長の１組のサブチャネルによって形成される光スーパーチャネルを介してデータを送信するためのシステムのブロック図である。
【発明を実施するための形態】
【００１６】
図１Ａは、異なる波長の１組のサブチャネルによって形成される光スーパーチャネルを介してデータを受信機に送信するためのスーパーチャネル送信機のブロック図を示す。図１Ｂは、図１Ａのスーパーチャネル送信機によって実施することができるデータを送信するための方法のフローチャートを示す。
【００１７】
本発明のいくつかの実施の形態は、スーパーチャネルを介して送信されるデータを、サブチャネルを介して送信するための１組のデータストリームに不均等に分割できるという認識に基づく。通常、スーパーチャネル全体を介して送信されるデータのビットレートおよびサイズは、固定される。しかしながら、実施の形態によれば、ビットレートのみがサブチャネルにわたって固定され、全てのサブチャネルを介して送信されるデータの和がスーパーチャネルを介して送信される固定データに等しい限り、送信されるデータストリームのサイズは、異なるサブチャネルにわたって変化することができる。
【００１８】
本発明の種々の実施の形態によれば、スーパーチャネル送信機は、データを異なるコード化されていないデータレートを有する１組のデータストリームに分割および符号化し、１組のサブチャネルを介して１組のデータストリームを受信機に送信し、受信機は、１組のデータストリームを復号および合成してデータを再生する。
【００１９】
例えば、スーパーチャネル送信機は、サブチャネルあたり同様のコード化されたビットレートおよび／または帯域幅を用いてサブチャネルあたり同様のコード化後性能を達成するために、異なるサイズからなり、異なるコード化方式を用いる異なるデータストリームを送信するためのいくつかのサブチャネル送信機１２０、１３０、１４０、１５０を含む。異なるサブチャネルのためのデータのデータストリームは、光チャネル１６５を介して送信する前に、波長マルチプレクサー（ＷＭ）１６０を用いて、場合によっては、他の独立した波長１６１とともに、光領域において多重化される。
【００２０】
例えば、スーパーチャネル送信機は、データソース１０１からコード化されていないデータ１０２を受信するためのデータデマルチプレクサー（ＤＤＭ）１１０を含む。ＤＤＭ１１０の一例は、固定レート、例えば、４１６Ｇｂ／ｓにおいてデータを受信するバイナリデータデマルチプレクサーである。デマルチプレクサー１１０は、データをスーパーチャネルの１組のサブチャネルを介して送信するための１組のデータストリームに不均等に分割し（１７０）、第１のサブチャネルを介して送信するための第１のデータストリーム１７３のサイズが第２のサブチャネルを介して送信するための第２のデータストリーム１７５のサイズとは異なるようにする。例えば、データデマルチプレクサーは、不均等なビットレート、例えば、１０４Ｇｂ／ｓ、１０４Ｇｂ／ｓ、１２０Ｇｂ／ｓ、８８Ｇｂ／ｓを有する複数のバイナリデータストリームを生成する。いくつかの実施の形態では、各データストリームのサイズは、異なる。代替の実施の形態では、いくつかのデータストリームのサイズは、等しくすることができる。バイナリデータストリームの数は、送信機によって用いられる波長サブチャネルの数に対応し、１より大きい任意の数とすることができる。
【００２１】
１組のデータストリームは、１組の前方誤り訂正（ＦＥＣ）符号化器、例えば、符号化器１２１、１３１、１４１、１５１によって符号化される（１８０）。１組のＦＥＣ符号化器は、１組のデータストリームを異なる誤り訂正符号（ＥＣＣ）レートを有するＥＣＣを用いて符号化して、１組の符号化されたデータストリームを生成する。例えば、各データストリームは、第１のデータストリームのための第１のＦＥＣレート１８３が第２のデータストリームのための第２のＦＥＣレート１８５とは異なるように符号化される。いくつかの実施の形態では、符号化は、個々のサブキャリアの種々のチャネル条件にかかわらず、復号後の性能が全てのサブチャネルにわたって等しいように実行される。例えば、１つの実施の形態は、サブチャネルごとのビット誤り率（ＢＥＲ）がしきい値未満になるように、異なるサブチャネルおよび／またはデータストリーム間でＦＥＣ符号レートを変更する。
【００２２】
符号化後に、サブキャリアは、異なるデータレートを有することができるか、または同じデータレート、例えば、１２５Ｇｂ／ｓ、１２５Ｇｂ／ｓ、１２５Ｇｂ／ｓ、１２５Ｇｂ／ｓを有することができ、結果として、いくつかのサブキャリア、すなわち、サブチャネルあたり１つのサブキャリアが生成され、サブキャリアは、等しい帯域幅および／またはコード化されたデータレートを有するが、異なるコード化されていないデータレートを有する。その後、コード化されたデータストリームは、サブキャリア単位で電子的および／または電気的予備処理１２２、１３２、１４２、１５２に送られ、その後、送信する（１９０）ために、送信機光学系１２３、１３３、１４３、１５３、例えば、送信機光学系サブアセンブリ（ＴＯＳＡ）、変調器に送られる。
【００２３】
図２は、本発明のいくつかの実施の形態による、スーパーチャネル受信機のブロック図を示す。光チャネル１６５から受信された信号２０１は、波長デマルチプレクサー（ＷＤＭ）２１０によっていくつかの波長サブキャリアに逆多重化される。これらの波長サブキャリア２１１のうちのいくつかは、スーパーチャネル送信とは無関係である可能性がある。スーパーチャネルの各波長サブキャリア、すなわち、サブチャネルあたり１つの波長サブキャリアが、その後、対応するサブチャネル受信機２２０、２３０、２４０または２５０に送られる。サブチャネル受信機は、送信されたデータストリームの再生を支援するために、光フロントエンド２２１、２３１、２４１、２５１と、後続の電気的および電子的処理モジュール２２２、２３２、２４２、または２５２とを含むことができる。その後、個々のサブキャリアは、異なるデータレートを有する復号されたデータストリームを生成するために、各符号化されたデータストリーム２２３、２３３、２４３、２５３を復号するための１組の復号器に送られる。復号されたデータストリームは、その後、データマルチプレクサー（ＤＭ）２６０によって合成され、元のデータ１０２が再生される（２７０）。
【００２４】
図３は、本発明の種々の実施の形態による、異なるデータストリームを符号化するためのＥＣＣレートを決定するためのブロック図を示す。例えば、いくつかの実施の形態は、スーパーチャネルのサブチャネルを介した送信のビット誤り率（ＢＥＲ）の値３１５がしきい値３４０未満になるように、ＥＣＣレート３２５を決定する（３２０）。いくつかの実施の形態では、ＥＣＣレート３２５は、符号化されたデータストリームを異なるサブチャネルを介して送信するためのＢＥＲの値が実質的に等しいように、サブチャネルごとに決定される（３２０）。具体的には、ＢＥＲは、各サブチャネルの信号対雑音品質を表す。いくつかの実施の形態は、所望のＢＥＲ値を達成するために、雑音が多いサブチャネルのためのＥＣＣレートを上げる。代替の実施の形態は、長距離のファイバ伝送を達成するために、ＥＥＣデータレートおよび電力を制御し、その場合、サブチャネルごとのＢＥＲは、必ずしも全てのサブチャネルにわたって均等になるとは限らない。そのようにして、データストリームを符号化する（３３０）ために、異なる値のＥＣＣレート３２５が用いられる。
【００２５】
例えば、いくつかの実施の形態は、１組のサブチャネルを介して等しいサイズのパケットを送信する場合のＢＥＲの値３１５を求め（３１０）、その分布に従って、１組のサブチャネルを介して送信するためのデータストリームのサイズを決定する。異なる実施の形態は、解析的に、または光スーパーチャネルの初期化中に求められた初期ＢＥＲ測定値に基づいて、ＢＥＲの値の分布を求める。
【００２６】
図４は、１組のサブチャネル４２０を介して等しいサイズのパケットを送信する場合のＢＥＲ４１０の値の非線形分布４１０の図を示す。いくつかの実施の形態は、ＢＥＲの値の分布が、例えば、サブチャネル４２０上の干渉によって引き起こされる非線形性に起因する歪みに関連するという認識に基づく。例えば、スーパーチャネルの周波数帯域の中心に近いサブチャネル４２１上の雑音が、周波数帯域の端に近いサブチャネル４２２上の雑音より大きい。
【００２７】
いくつかの実施の形態は、分布４１０に従って、１組のサブチャネルを介して送信するためのコード化されていないデータストリーム４４０のサイズおよび／またはＥＣＣ４３０のサイズを決定する。例えば、１つの実施の形態は、その分布に比例して１組のサブチャネルを介して送信するためのデータストリームのサイズを決定し、第１のサブチャネルのためのＢＥＲの第１の値と第２のサブチャネルのためのＢＥＲの第２の値との間のＢＥＲ比が第１のデータストリームのサイズと第２のデータストリームのサイズとの間のデータ比に等しいようにする。この比例テストを用いて、データの伝送レートおよびサブチャネルの数に基づいて、サブチャネルごとのコード化されていないデータストリームの厳密なＥＣＣレートおよび／またはサイズを決定することができる。
【００２８】
図５は、異なる波長の１組のサブチャネルによって形成される光スーパーチャネルを介してデータを送信するためのシステムのブロック図を示す。そのシステムは、本発明の１つの実施の形態に従って、データを異なるコード化されていないデータレートを有する１組のデータストリームに分割および符号化し、１組のサブチャネルを介して１組のデータストリームを送信するための送信機と、１組のデータストリームを復号および合成してデータを再生するための受信機とを含む。
【００２９】
この実施の形態では、コード化されていないデータ５０１がデジタルデータデマルチプレクサー（ＤＤＭ）５１０に固定レートで送信され、デジタルデータデマルチプレクサーは、総合データレートが入力データに等しいように、データをいくつかの等しくないデータストリームに分割する。可変のコード化能力を有する１組のサブチャネル送信機５２１、５２２、５２３、５２４を用いてサブキャリアを生成し、その後、サブキャリアは、波長マルチプレクサー（ＷＭ）５３０によって、任意選択で他の関連しない波長５３１とともに、多重化される。その後、光信号は、光チャネル５４０を介して送信される。
【００３０】
受信機において、光信号は、波長デマルチプレクサー（ＷＤＭ）５５０によって、その成分波長に分割され、その波長は、任意選択で他の関連しない波長５５１も含む。各成分サブキャリアは、可変符号レート復号器を含む、対応する受信機５６１、５６２、５６３、５６４に送られる。成分サブキャリア（種々のデジタルデータレートからなる）のバイナリ出力が、デジタルデータマルチプレクサー（ＤＤＭ）５７０に送られ、データ５０１を送出する際に使用された元のデータレートにおいて、再合成される（５９０）。
【００３１】
この実施の形態は、光スーパーチャネルの初期化中に求められるＢＥＲの値を求めるための構成要素も含むことができる。例えば、送受信機ブートストラップ後に、光チャネル５４０の初期化中に、各サブキャリアは、ＢＥＲ推定を実行する。例えば、ＢＥＲ測定モジュール５８１が、Ｌ２／Ｌ３／Ｌ４初期化手順中にサブチャネルごとのＢＥＲの値を求める。サブチャネルレートコントローラー５８２が、これらのＢＥＲ測定値を受信し、サブチャネルごとのＥＣＣレートを決定する。このレート情報は、デジタルデータデマルチプレクサー５１０、サブキャリア送信機５２１、５２２、５２３、５２４内の可変レート符号化器、サブキャリア受信機５６１、５６２、５６３、５６４内の可変レート復号器に送られる。いくつかの実施の形態では、レート情報は、データプレーンではなく、制御プレーン内にあり、フォワード光チャネル５４０とは物理的に異なるフィードバックチャネル５８３を介して分配される。本発明の実施の形態のいくつかのコントローラーモジュールは、プロセッサを用いて実現される。
【図１Ａ】
0006272501.tif 000002
【図１Ｂ】
0006272501.tif 000003
【図２】
0006272501.tif 000004
【図３】
0006272501.tif 000005
【図４】
0006272501.tif 000006
【図５】
0006272501.tif 000007